(57)【要約】【課題】  出退移動している途中のディスクトレイの姿勢が不安定になることを回避してその姿勢を安定させることにより、ディスクトレイのビビリ現象に伴う異音の発生を抑制してディスク装置の動作品位を向上させる。【解決手段】  筐体１０の開放されている上面を防塵カバー６０で塞いでいる。ディスクトレイ５０の重心位置Ｇよりも後側部位に両持ち構造の板ばねでなる樹脂ばね５５を設ける。樹脂ばね５５は、ディスクトレイ５０の重心位置Ｇがガイドレール２０の前端２１の前後の直近位置に到達したときにディスクトレイ５０が前下がり姿勢になることを許容する弾性強さを有する。防塵カバー６０に、ディスクトレイ５０が後退位置に到達したときに樹脂ばね５５を無負荷状態に復帰させる逃がし凹所６２を形成する。【選択図】        図７
2011003226.tif 000002
【特許請求の範囲】
【請求項１】
上面が開放された外枠としての筐体と、この筐体に設けられたガイドレールと、このガイドレール上をスライドして上記筐体の内部と外部との相互間で出退移動することにより、重心位置が上記ガイドレールの前端を挟んでその前側位置と後側位置とに変位するように構成されているディスクトレイと、を備えたディスク装置において、
上記筐体の上面に防塵カバーを装備させてあると共に、上記ディスクトレイの出退移動の途中の行程であってそのディスクトレイの重心位置が上記ガイドレールの前端の前側及び後側に位置しているときに、上記防塵カバーに摺動可能に常時弾接する当接部を有する樹脂ばねが、上記ディスクトレイの重心位置よりも後側部位に設けられ、その樹脂ばねは、ディスクトレイの重心位置が上記ガイドレールの前端の前後の直近位置に到達したときに上記ディスクトレイが前下がり姿勢になることを許容する弾性強さを有していることを特徴とするディスク装置。
【請求項２】
上記樹脂ばねは、ディスクトレイに一体に成形された前後方向に長い板ばねでなり、かつ、その樹脂ばねの前端と後端とがディスクトレイに連設された両持ち構造を有していると共に、その樹脂ばねが側面視山形に形成されて前端部表面と後端部表面とが上り勾配を有する傾斜したガイド面として形成されているディスク装置。
【請求項３】
樹脂ばねの上記当接部が、当該樹脂ばねの頂部に形成された突起でなる請求項２に記載したディスク装置。
【請求項４】
上記防塵カバーに、ディスクトレイの重心位置が上記ガイドレールの前端よりも後側に位置しているときに、上記樹脂ばねを無負荷状態に復帰させる逃がし凹所が形成されている請求項１ないし請求項３のいずれか１項に記載したディスク装置。
【請求項５】
上記逃がし凹所は、ディスクトレイが筐体の内部の後退位置に到達しているときに、上記樹脂ばねを無負荷状態に復帰させることのできる位置に形成されている請求項４に記載したディスク装置。
【請求項６】
上記逃がし凹所が、板金製の上記防塵カバーに形成された膨出部の内側空間によって形成されている請求項５に記載したディスク装置。
【請求項７】
上記樹脂ばねが、上記ディスクトレイの横幅方向の２箇所に対称に設けられている請求項１ないし請求項６のいずれか１項に記載したディスク装置。
【発明の詳細な説明】
【技術分野】
【０００１】
本発明、ディスク装置、特に、外枠としての筐体に出退移動可能に取り付けられたディスクトレイの動作安定性を高めて、振動や異音の発生を抑制しようとする対策が講じられているディスク装置に関する。
【背景技術】
【０００２】
図８はディスク装置の外枠としての筐体１０とディスクトレイ５０とを示した平面図、図９は図８のＩＸ−ＩＸ線に沿う部分の概略断面図である。外枠としての筐体１０は、上面が開放されていると共に、その幅方向の両端部のそれぞれに、ディスクトレイ５０を支えて前後方向に案内するガイドレール２０と、このガイドレール２０からディスクトレイ５０が浮き上がって外れることを防ぐ浮き上がり防止部３０とを備えている。ガイドレール２０は、前後方向に直線状に並んだ複数の突起でなる突起列（図１０〜図１２参照）によって形成されていたりする。浮き上がり防止部３０についても同様である。
【０００３】
これに対し、ディスクトレイ５０は、その幅方向の両端部のそれぞれに摺動片部５１を有していて、上記ガイドレール２０に支えられた摺動片部５１に、ガイドレール２０の反対側（上側）から上記浮き上がり防止部３０が臨んでいる。
【０００４】
この構成を備えたディスク装置では、ディスクトレイ５０が筐体１０の内部と外部との相互間で出退移動される。そして、ディスクトレイ５０が筐体１０の外部に突出しているときに、記録媒体としてのディスク（不図示）がそのディスクトレイ５０上の定位置に載架される。また、ディスクトレイ５０が筐体１０の外部から内部に向けて後退移動することによって、ディスクトレイ５０に載架されているディスクが筐体１０の内部に搬入される。さらに、ディスクトレイ５０が筐体１０の内部から外部に向けて突出移動することによって、ディスクトレイ５０に載架されたディスクが筐体１０の外部に搬出される。
【０００５】
ディスク装置において、上記したようなディスクトレイ５０の出退移動は、ディスクトレイ５０の摺動片部５１がガイドレール２０上でスライドすることによって行われる。そして、そのような出退移動を円滑に行わせるための対策として、筐体１０の内部にディスクトレイ５０が後退しているときに、ガイドレール２０に支えられているディスクトレイ５０の摺動片部５１と浮き上がり防止部３０との相互間に一定の隙間Ｓが確保されていて、その隙間Ｓがディスクトレイ５０の出退移動時の遊び空間を形成している。また、図８に示したディスクトレイ５０はその重心が前後方向の中間部に位置していて、そのようなディスクトレイ５０にディスクが載架されると、重心位置がディスクトレイ５０の前端側に変位する。
【０００６】
図１０〜図１２には筐体１０の内部と外部との相互間で出退移動するディスクトレイ５０の状態を説明的に示している。図１０は筐体１０の外部にディスクトレイ５０が突出している状態を説明的に示した概略縦断側面図、図１１は筐体１０の外部から内部に向けてディスクトレイ５０が後退移動している状態を示した概略縦断側面図、図１２は筐体５０の内部に後退したディスクトレイ５０を説明的に示した概略縦断側面図である。
【０００７】
図１０に示したように、筐体１０の外部にディスクトレイ５０が突出している状態では、ディスクトレイ５０にディスクが載架されているか否かに関係なく、ディスクトレイ５０の重心位置Ｇが、ガイドレール２０の前端部２１よりも前側に位置している。しかも、浮き上がり防止部３０とディスクトレイ５０との相互間には、上記隙間Ｓによって遊び空間が形成されている。そのため、同図の状態では、ディスクトレイ５０が前下りに傾き、その後端部５２が浮き上がり防止部３０に当接することによってディスクトレイ５０の前下り姿勢が維持されている。したがって、このときにはディスクトレイ５０がガイドレール２０の前端部２１と浮き上がり防止部３０との前後２箇所で支えられることになって、その姿勢が安定している。
【０００８】
図１１に矢印Ｒで示したように、ディスクが載架されているディスクトレイ５０又はディスクが載架されていないデイスクトレイ５０が、突出した位置から後退移動することによってその重心位置Ｇがガイドレール２０の前端部２１の直近位置に到達してからその前端部２１を通り過ぎた位置付近に到達したときには、ディスクトレイ５０の重心位置Ｇを挟む前側部分の重量と後側部分の重量とが均衡するので、ディスクトレイ５０は、必ずしも、ガイドレール２０の前端部２１と浮き上がり防止部３０との前後２箇所で支えられることにはならない。すなわち、ディスクトレイ５０が振動などの外的影響を受けたときには、図示のように、ガイドレール２０の前端部２１で支えられているディスクトレイ５０が前下り姿勢になったり、ディスクトレイ５０の後端部５２が浮き上がり防止部３０から離れたりして、その姿勢が不安定になる。したがって、重心位置Ｇがガイドレール２０の前端部２１を挟む前後の直近に到達しているときには、ディスクトレイ５０が振動などの影響を受けて所謂ビビリ現象を生じ、異音が発生したりすることがある。
【０００９】
図１２に矢印Ｒで示したように、ディスクが載架されているディスクトレイ５０又はディスクが載架されていないデイスクトレイ５０が、筐体１０の内部に後退しているときには、ディスクトレイ５０の重心位置Ｇがガイドレール２０の前端部２１の後側に到達しているので、ディスクトレイ５０は、その全体がガイドレール２０により支えられて安定した姿勢を維持する。
【００１０】
図１０〜図１２は、筐体１０の外部の突出位置からその内部の後退位置に向けて後退移動している行程でのディスクトレイ５０の状態を示しているけれども、筐体１０の内部の後退位置からその外部の突出位置に向けて突出移動する行程でのディスクトレイ５０においても、その重心位置Ｇがガイドレール２０の前端部２１を挟む前後の直近に到達しているときには、同様にディスクトレイ５０の姿勢が不安定になり、ディスクトレイ５０が振動などの影響を受けて所謂ビビリ現象を生じ、異音が発生したりすることがある。
【００１１】
一方、ディスク装置に関しては、ディスクトレイの出退移動の安定性を高めることを意図して、ばね性を備える傾動緩和リブを、ディスクトレイの突出位置でそのディスクトレイの後端部に弾接させるという提案がなされている（たとえば、特許文献１参照）。同様の意図の下で、ディスクトレイの後端部に一体成形した樹脂ばねでなる屈曲部を、ディスクトレイの突出位置でメインシャーシに弾接状態で係合させることも提案されている（たとえば、特許文献２参照）。
【００１２】
さらに、ディスクドライブ装置に関しては、ディスクトレイに押圧爪を具備させ、ディスクトレイが筐体の内部へ後退移動してきたときに、ディスクトレイに設けた押圧爪を筐体に弾接させることによって、ディスクトレイが筐体に衝突するときの騒音を低減させるという提案もなされている（たとえば、特許文献３参照）。
【先行技術文献】
【特許文献】
【００１３】
【特許文献１】特開２００７−２００５０７号公報
【特許文献２】特開２００７−５８８９１号公報
【特許文献３】特開２０００−１８７９１６号公報
【発明の概要】
【発明が解決しようとする課題】
【００１４】
図１１を参照して説明したように、ディスク装置において、ディスクトレイ５０の出退移動の途中の行程でディスクトレイ５０の姿勢が不安定になり、振動などの影響でビビリ現象に伴う異音が発生したりすると、そのことによって、ディスク装置の動作品位の高級感が損なわれてしまうという問題がある。
【００１５】
この点に関し、特許文献１や特許文献２によって提案されている技術は、ディスクトレイ５０の出退移動の途中でディスクトレイの姿勢が不安定になることを回避するというものではなく、ディスクトレイが突出位置に達したときのディスクトレイの姿勢を安定させるものに過ぎない。したがって、これらの各特許文献によって提案されている技術を適用しても上記問題を解決することはできない。
【００１６】
本発明は以上の問題や事情に鑑みてなされたものであり、出退移動している途中のディスクトレイが、筐体側の前後２箇所で常時支えられるような対策を講じることによって、出退移動途中でディスクトレイの姿勢が不安定になることを回避し、それによって、ディスクトレイの姿勢が不安定になることに伴って起こる異音の発生を防止してディスク装置の動作品位の高級感を高めることを目的としている。
【００１７】
また、本発明は、出退移動しているディスクトレイを筐体側の前後２箇所で常時支えさせるという対策を、部品を追加することなく可能にしたディスク装置を提供することを目的とする。
【課題を解決するための手段】
【００１８】
本発明に係るディスク装置は、上面が開放された外枠としての筐体と、この筐体に設けられたガイドレールと、このガイドレール上をスライドして上記筐体の内部と外部との相互間で出退移動することにより、重心位置が上記ガイドレールの前端を挟んでその前側位置と後側位置とに変位するように構成されているディスクトレイと、を備えている。
【００１９】
そして、上記筐体の上面に防塵カバーを装備させてあると共に、上記ディスクトレイの出退移動の途中の行程であってそのディスクトレイの重心位置が上記ガイドレールの前端の前側及び後側に位置しているときに、上記防塵カバーに摺動可能に常時弾接する当接部を有する樹脂ばねが、上記ディスクトレイの重心位置よりも後側部位に設けられ、その樹脂ばねは、ディスクトレイの重心位置が上記ガイドレールの前端の前後の直近位置に到達したときに上記ディスクトレイが前下がり姿勢になることを許容する弾性強さを有している。
【００２０】
このように構成されているディスク装置によると、ディスクトレイの出退移動の途中の行程で、ディスクトレイの重心位置がガイドレールの前端の後側に位置しているときには、ガイドレールによって支えられているディスクトレイの浮き上がりが樹脂ばねの作用によって阻止される。また、上記行程で、ディスクトレイの重心位置が上記ガイドレールの前端の前後の直近位置に到達したときには、樹脂ばねの弾性に抗してディスクトレイが前下がり姿勢になるけれども、ディスクトレイは、この状態でもガイドレールの前端と樹脂ばねが弾接している防塵カバーとによって少なくとも前後２箇所で支えられて安定した姿勢を維持するので、ディスクトレイがビビリ現象を起こして異音を発生するような状況が生じにくい。また、防塵カバーが筐体の内部への塵芥の侵入を防いでいることが、ディスク装置の高級機種化を促進することに役立っている。
【００２１】
特に、この発明では、ディスクトレイに設けられる樹脂ばねは、ディスクトレイが前下がり姿勢になることを許容する弾性強さを有しているに過ぎないので、防塵カバーに対する樹脂ばねの弾接力はきわめて小さい。そのため、樹脂ばねが防塵カバーに弾接して摺動するとしても、それによってディスクトレイを出退移動させるための駆動系に無理な負荷が加わることがないという利点がある。
【００２２】
本発明において、上記樹脂ばねは、ディスクトレイに一体に成形された前後方向に長い板ばねでなり、かつ、その樹脂ばねの前端と後端とがディスクトレイに連設された両持ち構造を有していると共に、その樹脂ばねが側面視山形に形成されて前端部表面と後端部表面とが上り勾配を有する傾斜したガイド面として形成されていることが望ましい。この構成であると、樹脂ばねに両持ち構造を付与してあるので、上記のように小さな弾性強さを有する樹脂ばねを肉薄の板ばねによって形成したとしても、その樹脂ばねのばね性能が早期に劣化（クリープ）することがなくなって、樹脂ばねの耐用性が向上する。また、樹脂ばねが側面視山形に形成されて前端部表面と後端部表面とが上り勾配を有する傾斜したガイド面として形成されていることにより、防塵カバーを備えた筐体にディスクトレイを挿入して組み付けるときに、樹脂ばねの前端部表面や後端部表面の傾斜したガイド面が、その樹脂ばねを防塵カバーの内側に無理なく滑り込ませることに役立つ。したがって、組み立て時に肉薄の板ばねでなる樹脂ばねが破損するという事態を生じにくい。
【００２３】
本発明では、樹脂ばねの上記当接部が、当該樹脂ばねの頂部に形成された突起でなる、という構成を採用することが可能である。この突起は、台形状であっても半球状であってもよい。
【００２４】
本発明では、上記防塵カバーに、ディスクトレイの重心位置が上記ガイドレールの前端よりも後側に位置しているときに、上記樹脂ばねを無負荷状態に復帰させる逃がし凹所が形成されていることが望ましい。この構成を採用すると、ディスクトレイの全体がガイドレールで支えられて、必ずしも樹脂ばねでディスクトレイの浮き上がりを防いでおく必要がないときに、樹脂ばねを逃がし凹所に復帰させてその樹脂ばねの弾性の劣化を抑制することができる。この作用については、上記逃がし凹所を、ディスクトレイが筐体の内部の後退位置に到達しているときに、上記樹脂ばねを無負荷状態に復帰させることのできる位置に形成しておくことによっても発揮される。
【００２５】
本発明において、上記逃がし凹所は防塵カバーに設けた開口によっても形成することができる。しかし、開口を防塵カバーに設けると、防塵カバーの防塵性能が低下する。したがって、逃がし凹所は、防塵カバーに形成された膨出部の内側空間によって形成しておくことが望ましい。
【００２６】
本発明では、上記樹脂ばねが、上記ディスクトレイの横幅方向の２箇所に対称に設けられていることが望ましい。この構成を採用すると、防塵カバーに対する樹脂ばねの摺動抵抗によって、ディスクトレイが出退移動するときに蛇行するおそれが少なくなる。
【発明の効果】
【００２７】
本発明によれば、出退移動している途中のディスクトレイが、筐体側の前後２箇所で常時支えられることになるので、出退移動の途中でディスクトレイの姿勢が不安定になることがなくなってディスクトレイの姿勢が安定する。したがって、ディスクトレイがビビリ現象を生じて異音を発生するという事態が抑制され、ディスク装置の動作品位の高級感が高められるという効果が奏される。また、出退移動しているディスクトレイを筐体側の前後２箇所で常時支えさせてディスクトレイの姿勢を安定させるという対策が、部品を追加することなく可能になるという効果も奏される。
【００２８】
特に、本発明では、ディスク装置の高級化を促進することに役立つ防塵カバーを利用してその動作品位を高めている。そのため、樹脂ばねの当接部を弾接させる箇所を筐体側に確保することができない場合に有益である。
【図面の簡単な説明】
【００２９】
【図１】本発明の実施形態に係るディスク装置の外観斜視図である。
【図２】ディスクトレイが取り付けられた筐体の概略平面図である。
【図３】図２のＩＩＩ−ＩＩＩ線に沿う部分の拡大断面図である。
【図４】筐体の外部にディスクトレイが突出している状態を説明的に示した概略縦断側面図である。
【図５】筐体の外部でディスクトレイが後退移動している状態を説明的に示した概略縦断側面図である。
【図６】筐体の内部でディスクトレイが後退移動している状態を説明的に示した概略縦断側面図である。
【図７】筐体の内部でディスクトレイが後退位置に到達している状態を説明的に示した概略縦断側面図である。
【図８】従来例の筐体とディスクトレイとを示した平面図である。
【図９】図８のＩＸ−ＩＸ線に沿う部分の概略断面図である。
【図１０】従来例において、筐体の外部にディスクトレイが突出している状態を説明的に示した概略縦断側面図である。
【図１１】従来例において、筐体の外部から内部に向けてディスクトレイが後退移動している状態を示した概略縦断側面図である。
【図１２】従来例において、筐体の内部に後退したディスクトレイを説明的に示した概略縦断側面図である。
【発明を実施するための形態】
【００３０】
図１は本発明の実施形態に係るディスク装置の外観斜視図である。図２はディスクトレイ５０が取り付けられた筐体１０の概略平面図、図３は図２のＩＩＩ−ＩＩＩ線に沿う部分の拡大断面図である。また、図４〜図７は筐体１０の内部と外部との相互間で出退移動するディスクトレイ５０の状態を説明的に示した概略縦断側面図である。
【００３１】
図１に示したディスク装置の外枠としての筐体１０は上面が開放されていて、その開放されている上面が、筐体１０に装備した板金製の防塵カバー６０によって塞がれている。この防塵カバー６０は、筐体１０に塵芥が侵入して動作性能を低下させることを防ぐことに役立っている。そして、図９を参照して説明したところと同様に、筐体１０の幅方向の両端部のそれぞれに、ディスクトレイ５０の幅方向両端部のそれぞれに備わっている摺動片部５１を摺動自在に支えて前後方向に案内するガイドレール２０が設けられている。このガイドレール２０は、、前後方向に直線状に並んだ複数の突起でなる突起列（図４〜図７参照）によって形成されている。また、筐体１０の幅方向の両端部のそれぞれには、それぞれのガイドレール２０に上側から対向する浮き上がり防止部３０が備わっている。この浮き上がり防止部３０が、ガイドレール２０に支えられたディスクトレイ５０の摺動片部５１に上側から対向していることによって、ディスクトレイ５０がガイドレール２０から浮き上がって外れることを防いでいる。浮き上がり防止部３０も、前後方向に直線状に並んだ複数の突起でなる突起列（図４〜図７参照）によって形成されている。
【００３２】
この構成を備えたディスク装置では、ディスクトレイ５０が筐体１０の内部と外部との相互間で出退移動される。そして、ディスクトレイ５０が筐体１０の外部に突出しているときに、記録媒体としてのディスク（不図示）がそのディスクトレイ５０上の定位置に載架される。また、ディスクトレイ５０が筐体１０の外部から内部に向けて後退移動する行程を経ることによって、ディスクトレイ５０に載架されているディスクが筐体１０の内部に搬入される。さらに、ディスクトレイ５０が筐体１０の内部から外部に向けて突出移動する行程を経ることによって、ディスクトレイ５０に載架されたディスクが筐体１０の外部に搬出される。
【００３３】
このディスク装置において、ディスクトレイ５０の出退移動は、ディスクトレイ５０の摺動片部５１がガイドレール２０上でスライドすることによって行われる。そして、そのような出退移動を円滑に行わせるための対策として、筐体１０の内部にディスクトレイ５０が後退しているときには、図９を参照して説明したところと同様に、ガイドレール２０に支えられているディスクトレイ５０の摺動片部５１と浮き上がり防止部３０との相互間に一定の隙間Ｓが確保されていて、この隙間Ｓがディスクトレイ５０の出退移動時の遊び空間を形成している。また、図８に示したディスクトレイ５０はその重心が前後方向の中間部に位置していて、そのようなディスクトレイ５０にディスクが載架されると、重心位置がディスクトレイ５０の前端側に変位する。
【００３４】
図２に示したように、この実施形態では、樹脂成形体でなるディスクトレイ５０の後端部の横幅方向の２箇所に対称に樹脂ばね５５が一体に成形されている。樹脂ばね５５は、ディスクトレイ５０の後端部に設けられていることによって、ディスクが載架されているか否かに関係なく、ディスクトレイ５０の重心位置よりも後側に位置している。図３のように、図例の樹脂ばね５５は、ディスクトレイ５０の前後方向に長い板ばねでなる。そして、その樹脂ばね５５の前端５５ａと後端５５ｂとがディスクトレイ５０に連設された両持ち構造を有している。また、樹脂ばね５５は、同図のように側面視台形状山形に形成されていて、前端部表面と後端部表面とが上り勾配を有する傾斜したガイド面５６，５７として形成されていると共に、その頂部の中央には、半球状ないし台形状に隆起した突起でなる当接部５８が形成されている。
【００３５】
図３のように、樹脂ばね５５は、ディスクトレイ５０の肉厚に比べてきわめて薄肉の板ばねでなる。また、この樹脂ばね５５は、図４及び図５に示したように、ディスクトレイ５０の重心位置がガイドレール２０の前端２１よりも前側に位置しているときには、当接部５８が防塵カバー６０に弾接したまま撓み変形してディスクトレイ５０が樹脂ばね５５の弾性に抗して前下がり姿勢になることを許容する程度の弾性強さを有している。すなわち、樹脂ばね５５は軟弾性を有しているに過ぎない。
【００３６】
また、図４〜図７に示したように、樹脂ばね５５は、ディスクトレイ５０の出退移動の途中の行程であってそのディスクトレイ５０の重心位置Ｇがガイドレール２０の前端２１の前側及び後側に位置しているときに、その当接部５８が防塵カバー６０に摺動可能に常時弾接するように構成されている。
【００３７】
図４〜図７には筐体１０の内部と外部との相互間で出退移動するディスクトレイ５０の状態を説明的に示している。
【００３８】
図４に示したように、筐体１０の外部にディスクトレイ５０が突出している状態では、ディスクトレイ５０にディスクが載架されているか否かに関係なく、ディスクトレイ５０の重心位置Ｇが、ガイドレール２０の前端部２１よりも前側に位置している。しかも、浮き上がり防止部３０とディスクトレイ５０との相互間には、上記した隙間Ｓによって遊び空間が形成されてることに加えて、樹脂ばね５５が軟弾性を有しているため、ディスクトレイ５０が前下りに傾き、樹脂ばね５５の当接部５８が防塵カバー６０に弾接している。したがって、ディスクトレイ５０がガイドレール２０の前端部２１と樹脂ばね５５の当接部５９が弾接している防塵カバー６０との前後２箇所で支えられることになって、その姿勢が安定している。
【００３９】
図５に矢印Ｒで示したように、ディスクが載架されているディスクトレイ５０又はディスクが載架されていないデイスクトレイ５０が、突出位置から後退移動することによってその重心位置Ｇがガイドレール２０の前端部２１の直近位置に到達してからその前端部２１を通り過ぎた位置付近に到達したときには、ディスクトレイ５０の重心位置Ｇを挟む前側部分の重量と後側部分の重量とが均衡する。しかし、このときにも、樹脂ばね５５の当接部５８が防塵カバー６０に弾接しているので、ディスクトレイ５０がガイドレール２０の前端部２１と樹脂ばね５５の当接部５９が弾接している防塵カバー６０との前後２箇所で支えられることになって、その姿勢が安定している。
【００４０】
なお、ディスクトレイ５０の重心位置Ｇがガイドレール２０の前端部２１の直近位置に到達してからその前端部２１を通り過ぎた位置付近に到達したときには、外的要因の影響を受けてディスクトレイ５０が図示したような前下り姿勢になる場合と、ディスクトレイ５０のガイドレール２０に平行な水平姿勢になる場合とがある。しかし、いずれの場合でも、上記のようにディスクトレイ５０がガイドレール２０の前端部２１と樹脂ばね５５の当接部５９が弾接している防塵カバー６０との前後２箇所で支えられてその姿勢は安定している。したがって、これらのいずれの場合であっても、ディスクトレイ５０が振動などの外的影響を受けてビビリ現象を生じることが回避され、そのことが異音の発生を防ぐことに役立つ。
【００４１】
図６に矢印Ｒで示してように、ディスクが載架されているディスクトレイ５０又はディスクが載架されていないデイスクトレイ５０が、筐体１０の内部に後退移動してきたときには、ディスクトレイ５０の重心位置Ｇがガイドレール２０の前端部２１の後側に到達しているので、ディスクトレイ５０は、その全体がガイドレール２０により支えられている。しかも、樹脂ばね５５の当接部５８が防塵カバー６０に弾接してディスクトレイ５０の浮き上がりが防止されている。そのため、ディスクトレイ５０の姿勢は安定している。
【００４２】
図７に矢印Ｒで示してように、ディスクが載架されているディスクトレイ５０又はディスクが載架されていないデイスクトレイ５０が、筐体１０の内部の後退位置に到達しているときには、ディスクトレイ５０の重心位置Ｇがガイドレール２０の前端部２１の後側に到達しているので、ディスクトレイ５０は、その全体がガイドレール２０により支えられて安定した姿勢を維持する。
【００４３】
以上のようにこの実施形態では、ディスクトレイ５０の出退移動の途中の行程であってそのディスクトレイ５０の重心位置Ｇがガイドレール２０の前端２１の前側及び後側に位置しているときに、ディスクトレイ５０の後端部に設けられている樹脂ばね５５の当接部５８が防塵カバー６０に摺動可能に常時弾接しているので、上記行程中でディスクトレイ５０の姿勢が不安定になってディスクトレイ５０がビビリ現象を生じることが抑制される。そのため、ディスクトレイ５０のビビリ現象に伴う異音の発生も抑制される。このことから、ディスク装置の動作品位が向上して高級感が高められることになる。
【００４４】
図４〜図７は、筐体１０の外部の突出位置からその内部の後退位置に向けて後退移動するディスクトレイ５０の状態を示しているけれども、筐体１０の内部の後退位置からその外部の突出位置に向けて突出移動するディスクトレイ５０においても、上記同様の作用が奏される。
【００４５】
ところで、ディスクトレイ５０に一体形成されている樹脂ばね５５は、上記したように肉薄で軟弾性を有しているに過ぎない。そのため、樹脂ばね５５の弾性が早期に劣化（クリープ）して初期の弾性を発揮しなくなることが懸念される。そこで、この実施形態では、上記したように樹脂ばね５５を両持ち構造としてその耐久性を高めてある。また、樹脂ばね５５を両持ち構造としてあることに加えて、次に説明する対策を講じることによってその耐久性をいっそう高めてある。
【００４６】
すなわち、図１や図７などに示したように、防塵カバー６０の後端部の幅方向両側に対称に膨出部６１を成形することによって、その膨出部６１の内側空間を、上記樹脂ばね５５の逃がし空間６２として形成している。そして、ディスクトレイ５０の重心位置Ｇがガイドレール２０の前端２１よりも後側に位置しているとき、具体的には、図７によって判るように、ディスクトレイ５０が後退位置の直前位置から後退位置までの間に位置しているときには、樹脂ばね５５が防塵カバー６０から離れて逃がし空間６２に配備されるようにしてあり、そうすることによって、樹脂ばね５５が無負荷状態に復帰するようにしてある。このように構成しておくと、ディスク装置の輸送時は勿論、ディスク装置が使われていないときや、ディスク装置がプレイモードに設定されているときに、樹脂ばね５５が無負荷状態になっているので、その樹脂ばね５５の弾性が早期に劣化してしまうという事態を回避することが可能になる。したがって、上記した樹脂ばね５５の両持ち構造と相まって、軟弾性を有する薄肉の板ばねでなる樹脂ばね５５の耐久性が効果的に改善されることになる。
【００４７】
この発明では、上記逃がし空間を防塵カバーに形成した開口によって形成することもできる。しかし、そのようにすると、開口からの塵芥の侵入によって防塵カバーによる防塵性能が損なわれるおそれがある。しかし、実施形態では、逃がし凹所６２を、防塵カバー６０に成形した膨出部６１の内側空間によって形成してあるので、防塵カバー６０の防塵性能が損なわれることはない。
【００４８】
また、この実施形態では、樹脂ばね５５が側面視台形状山形に形成されて前端部表面と後端部表面とが上り勾配を有する傾斜したガイド面５６，５７として形成されていることにより、防塵カバー６０を備えた筐体１０にディスクトレイ５０を挿入して組み付けるときに、樹脂ばね５５の前端部表面や後端部表面の傾斜したガイド面５６，５７が、その樹脂ばね５５を防塵カバー６０の内側に無理なく滑り込ませることに役立つ。したがって、組み立て時に肉薄の板ばねでなる樹脂ばね５５が破損するという事態を生じにくいという利点がある。
【００４９】
さらにこの実施形態では、樹脂ばね５５に軟弾性を付与しているので、その樹脂ばね５５の当接部５８が防塵カバー６０に弾接状態で摺動するとしても、その摺動抵抗が非常に小さくなる。そのため、ディスクトレイ５０を出退移動させるための駆動系に無理な負荷が加わらないという利点もある。
【００５０】
なお、図１〜図１２では、説明の便宜上、同一又は相応する部分に同一符号を付してある。
【符号の説明】
【００５１】
１０  筐体
２０  ガイドレール
２１  ガイドレールの前端
５０  ディスクトレイ
５５  樹脂ばね
５５ａ  樹脂ばねの前端
５５ｂ  樹脂ばねの後端
５６，５７  ガイド面
５８  樹脂ばねの当接部
６０  防塵カバー
６１  膨出部
６２  逃がし凹所
Ｇ  ディスクトレイの重心位置
【図１】
2011003226.tif 000003
【図２】
2011003226.tif 000004
【図３】
2011003226.tif 000005
【図４】
2011003226.tif 000006
【図５】
2011003226.tif 000007
【図６】
2011003226.tif 000008
【図７】
2011003226.tif 000009
【図８】
2011003226.tif 000010
【図９】
2011003226.tif 000011
【図１０】
2011003226.tif 000012
【図１１】
2011003226.tif 000013
【図１２】
2011003226.tif 000014